(57)【要約】【課題】ネクタイを結ぶ際に特別な道具を用いることなく綺麗な形状のディンプルを簡単に形成しながらネクタイを結ぶことができる小型軽量のネクタイ用ディンプル形成具を提供する。【解決手段】ネクタイ用ディンプル形成具１００は、ネクタイ９０のディンプル形成領域９１に形成した折畳部９３を挟むディンプル形成本体１０１と、このディンプル形成本体１０１を支持する本体スタンド１１０とで構成されている。ディンプル形成本体１０１は、第１の挟み体１０２ａと第２の挟み体１０２ｂとがネクタイ９０に形成した折畳部９３の厚さより狭い幅となる間隔を介して対向配置された状態で互いの下端部同士が狭力付与部１０６によって繋がって正面視略Ｕ字状に形成されている。第１の挟み体１０２ａおよび第２の挟み体１０２ｂは、外側に向って張り出す曲面部１０３と内側に向って張り出す曲面部１０４とが上下方向に連続的に繋がってそれぞれ構成されている。【選択図】  図１
2012158856.tif 000002
【特許請求の範囲】
【請求項１】
ネクタイの結び目の直下部分に凹状に窪んだディンプルを形成するためのネクタイ用ディンプル形成具であって、
前記ネクタイにおける前記ディンプルの形成位置となる部分の幅方向中央部をネクタイの長手方向に沿って凹状に折り畳んだ折畳部を両側から挟むための第１の挟み体および第２の挟み体からなる挟み部と、
前記第１の挟み体および前記第２の挟み体のうちの少なくとも一方に、他方に向かう力を生じさせる狭力付与部とからなるディンプル形成本体を備えることを特徴とするネクタイ用ディンプル形成具。
【請求項２】
請求項１に記載したネクタイ用ディンプル形成具において、
前記挟み部は、前記第１の挟み体と前記第２の挟み体とが前記折畳部の厚さ以下の間隔を介して対向配置されており、
前記狭力付与部は、前記第１の挟み体および前記第２の挟み体における互いに対向する端部同士を連結しており、
前記ディンプル形成本体は、前記挟み部および前記狭力付与部が互いに同一素材で一体的に成形されていることを特徴とするネクタイ用ディンプル形成具。
【請求項３】
請求項２に記載したネクタイ用ディンプル形成具において、さらに、
前記挟み部は、前記第１の挟み体および前記第２の挟み体における前記狭力付与部によって連結された端部とは反対側の各端部側が開放したネクタイ挿入口が形成されており、
前記ディンプル形成本体における前記狭力付与部側を支持する本体スタンドを備えることを特徴とするネクタイ用ディンプル形成具。
【請求項４】
請求項１ないし請求項３のうちのいずれか１つに記載したネクタイ用ディンプル形成具において、
前記挟み部は、前記第１の挟み体および前記第２の挟み体における前記狭力付与部によって連結された端部とは反対側の各端部側が互いに遠ざかる方向に延びて形成されていることを特徴とするネクタイ用ディンプル形成具。
【請求項５】
請求項１ないし請求項４のうちのいずれか１つに記載したネクタイ用ディンプル形成具において、
前記挟み部は、前記第１の挟み体および前記第２の挟み体のうちの少なくとも一方に、他方に向かって曲面が凸状に張り出す曲面部が形成されていることを特徴とするネクタイ用ディンプル形成具。
【発明の詳細な説明】
【技術分野】
【０００１】
本発明は、ネクタイの結び目に凹状に窪んだディンプルを形成するためのネクタイ用ディンプル形成具に関する。
【背景技術】
【０００２】
従来から、ネクタイを結ぶ際にネクタイの結び目の直下（大剣部上部）部分に凹状の窪んだ所謂ディンプルを形成することにより、ネクタイの結び目の意匠に特徴を持たせることが行なわれている。一般に、このようなディンプルは、ネクタイを結ぶ際にネクタイの結び目の形成と同時に手作業で行われている。具体的には、ネクタイの使用者は、ネクタイの大剣部の上部の中央部分を指で凹ませることにより、ディンプルの形状、形成位置および形成長さをそれぞれ調整しながら行う。
【０００３】
しかし、このディンプルの形成は、ネクタイの結び目の形状や大きさの調整とともに行われるため、ネクタイを結ぶ作業が極めて煩雑かつ時間が掛かる作業であった。そこで、例えば、下記特許文献１には、ネクタイの大剣部の上部中央部をＭ字状に挟み込みながらネクタイを結ぶことによりディンプルを形成する結び目補助具が提案されている。
【先行技術文献】
【特許文献】
【０００４】
【特許文献１】特開２００２−３６３８１１号公報
【０００５】
しかしながら、このような結び目補助具を用いたネクタイの結び作業は、ネクタイと結び目補助具とを共に把持しながら結び目補助具のずれおよび落下を防止しながら行なわれるため、依然として煩雑で困難な作業であるという問題がある。また、上記結び目補助具は、ネクタイを挟むことができるとともにこの挟んだ状態で良好に操作することができる大きさに形成されているため、携帯性に乏しく外出先などでの使用が実質的に困難であるという問題もあった。
【０００６】
本発明は上記問題に対処するためなされたもので、その目的は、ネクタイを結ぶ際に特別な道具を用いることなく綺麗な形状のディンプルを簡単に形成しながらネクタイを結ぶことができる小型軽量のネクタイ用ディンプル形成具を提供することにある。
【発明の概要】
【０００７】
上記目的を達成するため、請求項１に係る本発明の特徴は、ネクタイ用ディンプル形成具が、ネクタイの結び目の直下部分に凹状に窪んだディンプルを形成するためのネクタイ用ディンプル形成具であって、ネクタイにおけるディンプルの形成位置となる部分の幅方向中央部をネクタイの長手方向に沿って凹状に折り畳んだ折畳部を両側から挟むための第１の挟み体および第２の挟み体からなる挟み部と、第１の挟み体および第２の挟み体のうちの少なくとも一方に、他方に向かう力を生じさせる狭力付与部とからなるディンプル形成本体を備えることにある。
【０００８】
このように構成した請求項１に係る本発明の特徴によれば、ネクタイ用ディンプル形成具は、ネクタイにディンプルを形成するためのディンプル形成本体がネクタイにおけるディンプルの形成位置となる部分を凹状に折り畳んだ折畳部を両側から挟む第１の挟み体および第２の挟み体からなる挟み部と、第１の挟み体および第２の挟み体に折畳部を挟むための力を付与する狭力付与部とで構成されている。したがって、ネクタイにディンプルを形成するネクタイの使用者は、ネクタイを結ぶ前に、ネクタイにおけるディンプルの形成位置を凹状に折り畳んだ折畳部をディンプル形成本体の挟み部内に挿し込んでおくことにより、同ディンプルの形成位置に予め凹形状の折り癖を付けておくことができる。これにより、使用者は、ネクタイを結ぶに際しては、ネクタイからディンプル形成本体を取り外すことによりディンプルの形状に対応する凹形状の折り癖が形成されたネクタイによって、特別な道具を用いることなく綺麗な形状のディンプルを簡単に形成しながらネクタイを結ぶことができる。また、このネクタイ用ディンプル形成具は、ネクタイにおけるディンプルの形成位置となる部分を癖付けるためのものであり、従来の結び目補助具に比べて小型軽量であるため、外出先への携帯性も優れており外出先でのディンプルの形成も容易に行なうことができる。
【０００９】
また、請求項２に係る本発明の他の特徴は、前記ネクタイ用ディンプル形成具において、挟み部は、第１の挟み体と第２の挟み体とが折畳部の厚さ以下の間隔を介して対向配置されており、狭力付与部は、第１の挟み体および第２の挟み体における互いに対向する端部同士を連結しており、ディンプル形成本体は、挟み部および狭力付与部が互いに同一素材で一体的に形成されていることにある。
【００１０】
このように構成した請求項２に係る本発明の他の特徴によれば、ネクタイ用ディンプル形成具におけるディンプル形成本体は、第１の挟み体と第２の挟み体とが折畳部の厚さ以下の間隔を介して対向配置されて狭力付与部によって連結されるとともにこれらが同一素材で一体的に成形されている。この場合、挟み部および狭力付与部は、樹脂材、ゴム材または鋼板材などで構成することができる。これによれば、ディンプル形成本体を簡単かつ小型軽量に構成することができる。
【００１１】
また、請求項３に係る本発明の他の特徴は、前記ネクタイ用ディンプル形成具において、さらに、挟み部は、第１の挟み体および第２の挟み体における狭力付与部によって連結された端部とは反対側の各端部側が開放したネクタイ挿入口が形成されており、ディンプル形成本体における狭力付与部側を支持する本体スタンドを備えることにある。
【００１２】
このように構成した請求項３に係る本発明の他の特徴によれば、ネクタイ用ディンプル形成具は、ディンプル形成本体における狭力付与部の反対側にネクタイ挿入口を備えるとともに、同ディンプル形成本体における狭力付与部側を支持する本体部スタンドを備えている。したがって、作業者は、ディンプル形成本体を本体部スタンドに支持させることによりディンプル形成本体を安定させることができ、ディンプル形成本体における挟み部にネクタイの折畳部を挿し込み易くなる。これにより、ネクタイ用ディンプル形成具の操作性が向上する。なお、この場合、本体部スタンドは、ディンプル形成本体に対して分離不能に一体的に構成されていても良いし、互いに着脱可能に構成されていても良い。
【００１３】
また、請求項４に係る本発明の他の特徴は、前記ネクタイ用ディンプル形成具において、挟み部は、第１の挟み体および第２の挟み体における狭力付与部によって連結された端部とは反対側の各端部側が互いに遠ざかる方向に延びて形成されていることにある。
【００１４】
このように構成した請求項４に係る本発明の他の特徴によれば、ネクタイ用ディンプル形成具は、第１の挟み体および第２の挟み体における狭力付与部とは反対側の各端部側が互いに遠ざかる方向に延びて開いた形状に形成されている。これにより、ネクタイ用ディンプル形成具は、挟み部内へのネクタイの折畳部の挿し込みが行い易くなるため、操作性が向上する。
【００１５】
また、請求項５に係る本発明の他の特徴は、前記ネクタイ用ディンプル形成具において、挟み部は、第１の挟み体および第２の挟み体のうちの少なくとも一方に、他方に向かって曲面が凸状に張り出す曲面部が形成されていることにある。
【００１６】
このように構成した請求項５に係る本発明の他の特徴によれば、ネクタイ用ディンプル形成具は、挟み部における第１の挟み体および第２の挟み体のうちの少なくとも一方に、他方に向かって曲面が凸状に張り出す曲面部が形成されている。これにより、ネクタイ用ディンプル形成具は、第１の挟み体および第２の挟み体のうちの少なくとも一方に形成された曲面部によりネクタイの折畳部を押圧するため、単位面積当たりの押圧力が向上してより精度良くネクタイに折り癖を形成することができる。
【図面の簡単な説明】
【００１７】
【図１】（Ａ），（Ｂ）は、本発明の一実施形態に係るネクタイ用ディンプル形成具を構成するディンプル形成本体の外観構成を概略的に示しており、（Ａ）はディンプル形成本体の正面図であり、（Ｂ）は（Ａ）に示すディンプル形成本体を図示右側から見た側面図である。
【図２】ディンプル形成本体をネクタイに装着した状態におけるネクタイの表側から見た平面図である。
【図３】図１に示すディンプル形成本体をネクタイに装着した状態を示す一部断面正面図である。
【図４】（Ａ），（Ｂ）は、本発明の一実施形態に係るネクタイ用ディンプル形成具を構成する本体スタンドの外観構成を概略的に示しており、（Ａ）は本体スタンドの正面図であり、（Ｂ）は（Ａ）に示す本体スタンドを図示右側から見た側面図である。
【図５】ネクタイに形成した折畳部をディンプル形成本体に装着する様子を示した説明図である。
【図６】ディンプル形成本体から外したネクタイにおけるディンプル形成領域の状態を示す断面図である。
【図７】（Ａ），（Ｂ）は、本発明の変形例に係るネクタイ用ディンプル形成具を構成するディンプル形成本体の外観構成を概略的に示しており、（Ａ）はディンプル形成本体の正面図であり、（Ｂ）は（Ａ）に示すディンプル形成本体を図示右側から見た側面図である。
【図８】（Ａ），（Ｂ）は、本発明の他の変形例に係るネクタイ用ディンプル形成具を構成するディンプル形成本体の外観構成をそれぞれ概略的に示したディンプル形成本体の正面図である。
【発明を実施するための形態】
【００１８】
以下、本発明に係るネクタイ用ディンプル形成具の一実施形態について図面を参照しながら説明する。図１（Ａ），（Ｂ）は、本発明に係るネクタイ用ディンプル形成具１００を構成するディンプル形成本体１０１の外観構成を概略的に示しており、（Ａ）はディンプル形成本体１０１の正面図であり、（Ｂ）は（Ａ）に示すディンプル形成本体１０１を図示右側から見た側面図である。また、図２は、ディンプル形成本体１０１をネクタイ９０に装着した状態におけるネクタイ９０の表側から見た平面図である。なお、本明細書において参照する各図は、本発明の理解を容易にするために一部の構成要素を誇張して表わすなど模式的に表している。このため、各構成要素間の寸法や比率などは異なっていることがある。
【００１９】
このネクタイ用ディンプル形成具１００は、ネクタイ９０におけるディンプル（図示せず）の形成位置となる部分を含むディンプル形成領域９１にディンプルの形成を容易にするための折り癖９２を付けるためのものである。この場合、ディンプルとは、ネクタイ９０を結ぶ際にネクタイ９０の結び目（図示せず）の直下（大剣部上部）部分に凹状に窪んだ形状を形成することによりネクタイ９０の結び目周辺の意匠性を向上させるための装飾である。したがって、ディンプル形成領域９１は、ネクタイ９０における大剣部と中継ぎ部との境界およびその周辺部分となる。
【００２０】
（ネクタイ用ディンプル形成具１００の構成）
ネクタイ用ディンプル形成具１００は、ディンプル形成本体１０１を備えている。ディンプル形成本体１０１は、ネクタイ９０におけるディンプル形成領域９１を挟むための樹脂製の部品であり、主として、挟み部１０２と狭力付与部１０６とによって正面視略Ｕ字状に形成されている。挟み部１０２は、ネクタイ９０の大剣部の上部におけるディンプル形成領域９１をネクタイ９０の両側から挟んで押えるため部分であり、板状体の第１の挟み体１０２ａと第２の挟み体１０２ｂとによって構成されている。
【００２１】
第１の挟み体１０２ａおよび第２の挟み体１０２ｂは、互いに反対方向に凸状に張り出す２つの曲面部１０３，１０４が図示上下方向に連続的に繋がってそれぞれ構成されている。これらの２つの曲面部１０３，１０４のうち、曲面部１０３は、第１の挟み体１０２ａおよび第２の挟み体１０２ｂにおける図示下側部分を構成しており、互いに外側に向かって凸状に張り出す曲面で構成されている。また、曲面部１０４は、第１の挟み体１０２ａおよび第２の挟み体１０２ｂにおける図示上側部分を構成しており、互いに内側に向かって凸状に張り出す曲面で構成されるとともに、各曲面部１０４の各先端部がそれぞれ外側に向って開いた形状に形成されてネクタイ挿入口１０５を構成している。
【００２２】
そして、これらの曲面部１０３，１０４で構成された第１の挟み体１０２ａと第２の挟み体１０２ｂとは、図３に示すように、第１の挟み体１０２ａと第２の挟み体１０２ｂとの間の最も狭い部分（括れ部１０８）で、ネクタイ９０に形成した折畳部９３の厚さより狭い幅となる間隔を介して対向配置された状態で互いの図示下端部同士が狭力付与部１０６によって繋がっている。ここで、ネクタイ９０に形成した折畳部９３は、ネクタイ９０のディンプル形成領域９１を長手方向に沿った３つのラインで折り畳むことにより断面形状を略Ｗ字状に形成した部分である。したがって、第１の挟み体１０２ａと第２の挟み体１０２ｂとの間隔は、最も狭い部分でネクタイ９０に形成した折畳部９３の厚さより狭い幅が好適であるが、折畳部９３には広がろうとする力も考慮すれば折畳部９３の厚さより若干広い幅に設定することもできる。
【００２３】
狭力付与部１０６は、ディンプル形成本体１０１における第１の挟み体１０２ａおよび第２の挟み体１０２ｂに対して互いに向い合う方向（近接する方向）に力を生じさせるための部分であり、第１の挟み体１０２ａおよび第２の挟み体１０２ｂの各下端部間において略Ｕ字状に屈曲して形成されている。この狭力付与部１０６は、弾性変形することにより、第１の挟み体１０２ａと第２の挟み体１０２ｂとに対して互いに向い合う方向（近接する方向）の力をそれぞれ生じさせる。すなわち、本実施形態において狭力付与部１０６は、第１の挟み体１０２ａと第２の挟み体１０２ｂとを互いに対向した姿勢で連結するとともに、弾性変形することによって第１の挟み体１０２ａの上端部側と第２の挟み体１０２ｂの上端部側とが互いに離隔する開いた状態において第１の挟み体１０２ａと第２の挟み体１０２ｂとに互いに向い合う方向（近接する方向）の力をそれぞれ生じさせる。
【００２４】
これにより、第１の挟み体１０２ａと第２の挟み体１０２ｂとの間には、互いに対向する２つの曲面部１０３によって互いに外側に向って膨らんだネクタイ収容部１０７が形成されるとともに、同ネクタイ収容部１０７の図示上側に互いに対向する２つの曲面部１０４によって括れた括れ部１０８が形成されて全体として正面視において袋状に形成される。そして、この場合、ネクタイ収容部１０７は、ネクタイ収容部１０７内にディンプル形成領域９１を収容した状態においてネクタイ９０の中央部を２つ折りにした部分（図において破線円で示す）が括れ部１０８によって挟まれる深さに形成されている。
【００２５】
すなわち、ディンプル形成本体１０１は、互いに対向配置された第１の挟み体１０２ａと第２の挟み体１０２ｂとが狭力付与部１０６を介して一体的に繋がって構成されている。本実施形態においては、ディンプル形成本体１０１は、単一の樹脂素材（本実施形態においては、ポリプロピレン樹脂）を射出成形により第１の挟み体１０２ａ、第２の挟み体１０２ｂおよび狭力付与部１０６が一体的に成形されている。すなわち、ディンプル形成本体１０１は、第１の挟み体１０２ａ、第２の挟み体１０２ｂおよび狭力付与部１０６が同一の樹脂素材によって構成されている。
【００２６】
なお、本実施形態においては、ディンプル形成本体１０１における各部の寸法は、高さが約３０ｍｍ、外幅が約１２ｍｍ、長さが約４０ｍｍ、ネクタイ収容部１０７の最大内幅が約７ｍｍ、括れ部１０８の最小幅が約３ｍｍ、ネクタイ収容部１０７の底部から括れ部１０８までの深さが約２２ｍｍにそれぞれ成形されている。但し、これらのディンプル形成本体１０１における構成素材および各部の寸法は、本実施形態に限定されるものでなくネクタイ９０との関係において適宜設定されるものである。この場合、ネクタイ収容部１０７の最大内幅は、本実施形態においては折畳部９３の厚さ以下に設定されているが、同最大内幅は折畳部９３の厚さより広い幅で形成することもできる。また、本実施形態においては、ディンプル形成本体１０１は、ネクタイ９０の引っ掛かりによる損傷を防止するために各角部が丸く形成されている。
【００２７】
また、このネクタイ用ディンプル形成具１００は、本体スタンド１１０を備えている。本体スタンド１１０は、図４（Ａ），（Ｂ）に示すように、ディンプル形成本体１０１を水平な台上で支持するための樹脂製の受け台であり、水平方向に延びる棒状に形成されている。この本体スタンド１１０は、断面形状が台形状に形成されてディンプル形成本体１０１の長手方向の長さに対応する長さの台部１１１の上面に凹状に切り欠かれた支持部１１２が形成されて構成されている。支持部１１２は、ディンプル形成本体１０１における曲面部１０４および狭力付与部１０６によって構成された部分（換言すればネクタイ収容部１０７）を収容する部分であり、台部１１１の上面中央部に同台部１１１の長手方向に沿って溝状に形成されている。この支持部１１２は、ディンプル形成本体１０１の外幅よりも若干広い溝幅で形成されているとともに、ディンプル形成本体１０１の挟み部１０２の図示下側半分を収容可能な深さで形成されている。また、支持部１１２の底部は、ディンプル形成本体１０１の底部、換言すれば、狭力付与部１０６の外側底部の形状に沿った形状に形成されている。なお、図４（Ａ）,（Ｂ）においては、ディンプル形成本体１０１を二点鎖線で示している。
【００２８】
（ネクタイ用ディンプル形成具１００の作動）
次に、このように構成されたネクタイ用ディンプル形成具１００の作動について説明する。まず、ネクタイ用ディンプル形成具１００の使用者は、ディンプル形成本体１０１および本体スタンド１１０からなるネクタイ用ディンプル形成具１００およびディンプルの形成対象となるネクタイ９０をそれぞれ用意する。なお、この場合、ネクタイ９０は、一般的に市販されている通常の紳士用ネクタイである。
【００２９】
次に、使用者は、ディンプル形成本体１０１を本体スタンド１１０上にセットする。具体的には、使用者は、本体スタンド１１０を水平な台上に支持部１１２が上方に向かって開口する向きで載置するとともに、同載置した本体スタンド１１０の支持部１１２内にディンプル形成本体１０１における狭力付与部１０６側を挿入する。これにより、本体スタンド１１０は、支持部１１２がディンプル形成本体１０１におけるネクタイ収容部１０７の外側を支持することによりディンプル形成本体１０１をネクタイ挿入口１０５が上方に開口する姿勢で支持する（図４参照）。
【００３０】
次に、使用者は、ネクタイ９０におけるディンプルを形成する位置を含むディンプル形成領域９１に折畳部９３を形成する。具体的には、使用者は、ネクタイ９０の表面に対して同ネクタイ９０におけるディンプル形成領域９１の中央部を長手方向沿って２つ折り（谷折り）にするとともに同谷折り部の両側部分を更に２つ折りで折り返すことによって断面形状が略Ｗ字状の折畳部９３を形成する（図３参照）。
【００３１】
次に、使用者は、ネクタイ９０のディンプル形成領域９１に形成した折畳部９３にディンプル形成本体１０１を取り付ける。具体的には、使用者は、図５に示すように、ネクタイ９０のディンプル形成領域９１に形成した折畳部９３の両側を把持した状態で、同折畳部９３を本体スタンド１１０に支持されたディンプル形成本体１０１のネクタイ挿入口１０５および括れ部１０８を介してネクタイ収容部１０７内に挿入する。この場合、使用者は、ネクタイ９０の表面側をディンプル形成本体１０１におけるネクタイ収容部１０７に向けて挿入する。
【００３２】
この折畳部９３の挿入作業においては、使用者は、挟み部１０２におけるネクタイ挿入口１０５が外側に広がって形成されているため、ネクタイ９０の折畳部９３を容易に挿入することができる。また、使用者は、ディンプル形成本体１０１が本体スタンド１１０によって安定的に支持されているため、ネクタイ９０の折畳部９３を安定した状態でネクタイ収容部１０７内に挿入することができる。
【００３３】
そして、使用者は、ディンプル形成本体１０１の挟み部１０２内に挿入した折畳部９３の先端部がネクタイ収容部１０７の底部（狭力付与部１０６）付近に達するまで折畳部９３を押し込む。これにより、ネクタイ収容部１０７内に折畳部９３の殆どの部分が収容されるとともにネクタイ９０の中央部を２つ折りにした部分（図において破線円で示す）が括れ部１０８によって挟まれた状態となる（図３参照）。これにより、ネクタイ９０における折畳部９３にディンプル形成本体１０１が取り付けられた状態となる。
【００３４】
このネクタイ９０における折畳部９３にディンプル形成本体１０１が取り付けられた状態においては、ディンプル形成本体１０１における狭力付与部１０６は、第１の挟み体１０２ａと第２の挟み体１０２ｂとが開く方向に弾性変形する。これにより、ネクタイ９０における折畳部９３は、第１の挟み体１０２ａと第２の挟み体１０２ｂとによって挟まれて圧迫された状態となる。この場合、ネクタイ９０の中央部を２つ折りにした部分（図において破線円で示す）は、括れ部１０８によって挟まれるため折畳部９３のその他の部分よりも強力に圧迫されるため、折り癖９２が効果的に形成される。
【００３５】
次に、使用者は、ネクタイ９０をネクタイとして使用するまでの間、ネクタイ９０をディンプル形成本体１０１が取り付けられた状態で保管する。具体的には、使用者は、ネクタイ９０に取り付けられたディンプル形成本体１０１を本体スタンド１１０から抜き取るとともに、この抜き取られたディンプル形成本体１０１が取り付けられた状態のネクタイ９０（図２参照）を図示しないネクタイハンガーなどに掛けて保管する。すなわち、使用者は、ディンプル形成本体１０１が取り付けられたネクタイ９０を一般的な保管方法によって保管する。このネクタイ９０を保管する間においては、ディンプル形成本体１０１は、狭力付与部１０６による弾性力によって第１の挟み体１０２ａと第２の挟み体１０２ｂとがネクタイ９０の折畳部９３を挟むため、ネクタイ９０からずれ落ちることはない。
【００３６】
そして、使用者がネクタイ９０をネクタイとして使用するに際しては、ネクタイ９０における折畳部９３からディンプル形成本体１０１を抜き取るとともに、折畳部９３を拡げて折畳み状態を解消する。これにより、ネクタイ９０におけるディンプル形成領域９１には、図６に示すように、ネクタイ９０の表側中央部にネクタイ９０の長手方向に沿って谷折り状に形成された谷折り癖９２ａと、この谷折り癖９２ａの両側に山折り状に形成された山折り癖９２ｂとからなる折り癖９２が形成される。
【００３７】
次に、使用者は、ディンプル形成本体１０１を外したネクタイ９０を通常のネクタイと同様の手順で締める。この場合、使用者は、ネクタイの結び目の形成とともにディンプルを形成するが、ネクタイ９０におけるディンプル形成領域９１には予め折り癖９２が形成されているため、容易にディンプルを形成することができる。
【００３８】
一方、ネクタイ９０を使用した後、使用したネクタイ９０を保管する場合においては、前記と同様の手順にてディンプル形成本体１０１をネクタイ９０のディンプル形成領域９１に形成した折畳部９３に取り付けておく。これにより、ネクタイ９０の次回の使用時においても容易にディンプルを形成しながら結び目を形成することができる。
【００３９】
上記作動説明からも理解できるように、上記実施形態によれば、ネクタイ用ディンプル形成具１００は、ネクタイ９０にディンプルを形成するためのディンプル形成本体１０１がネクタイ９０におけるディンプルの形成位置となる部分を凹状に折り畳んだ折畳部９３を両側から挟む第１の挟み体１０２ａおよび第２の挟み体１０２ｂからなる挟み部１０２と、第１の挟み体１０２ａおよび第２の挟み体１０２ｂに折畳部９３を挟むための力を付与する狭力付与部１０６とで構成されている。したがって、ネクタイ９０にディンプルを形成するネクタイ９０の使用者は、ネクタイ９０を結ぶ前に、ネクタイ９０におけるディンプルの形成位置を凹状に折り畳んだ折畳部９３をディンプル形成本体１０１の挟み部１０２内に挿し込んでおくことにより、同ディンプルの形成位置に予め凹形状の折り癖９２を形成しておくことができる。これにより、使用者は、ネクタイ９０を結ぶに際しては、ネクタイ９０からディンプル形成本体１０１を取り外すことによりディンプルの形状に対応する凹形状の折り癖９２が形成されたネクタイ９０によって、特別な道具を用いることなく綺麗な形状のディンプルを簡単に形成しながらネクタイ９０を結ぶことができる。また、このネクタイ用ディンプル形成具１００は、ネクタイ９０におけるディンプルの形成位置となる部分を癖付けるためのものであり、従来の結び目補助具に比べて小型軽量であるため、外出先への携帯性も優れており外出先でのディンプルの形成も容易に行なうことができる。
【００４０】
さらに、本発明の実施にあたっては、上記実施形態に限定されるものではなく、本発明の目的を逸脱しない限りにおいて種々の変更が可能である。なお、下記変形例を示す図８（Ａ），（Ｂ）においては、上記実施形態におけるネクタイ用ディンプル形成具１００と同様の構成部分に同じ符号を付して、これらの説明は適宜省略する。
【００４１】
例えば、上記実施形態においては、ネクタイ９０のディンプル形成領域９１の中央部を長手方向に沿って２つ折り（谷折り）にするとともに同谷折り部の両側部分を更に２つ折りで折り返すことによって断面形状が略Ｗ字状の折畳部９３を形成した。しかし、折畳部９３は、ネクタイ９０におけるディンプル形成領域９１における少なくとも中央部に谷折り癖９２ａが形成されればよく、必ずしも上記実施形態に限定されるものではない。例えば、折畳部９３は、ネクタイ９０のディンプル形成領域９１の中央部を凹状に２つ折りして谷折り癖９２ａのみ形成するように構成することもできる。なお、この場合、ディンプル形成本体１０１は、前記２つ折りによって構成される折畳部９３の形状および大きさに対応した形状および大きさに形成されることは当然である。
【００４２】
また、上記実施形態においては、本体スタンド１１０をディンプル形成本体１０１に対して分離可能に構成した。しかし、本体スタンド１１０は、ディンプル形成本体１０１をネクタイ９０にセットし易くするものであり、必ずしも必要なものではない。例えば、ネクタイ９０とディンプル形成本体１０１とを共に把持しながらディンプル形成本体１０１をネクタイ９０にセットする場合には、本体スタンド１１０は不要である。また、本体スタンド１１０を用いる場合においても、本体スタンド１１０は、ディンプル形成本体１０１と一体的に形成することもできる。例えば、ディンプル形成本体１０１における曲面部１０３の外側面に本体スタンド１１０の台部１１１に相当する部分を一体的に形成することができる。
【００４３】
また、上記実施形態においては、ディンプル形成本体１０１における第１の挟み体１０２ａおよび第２の挟み体１０２ｂを曲面部１０３，１０４によって湾曲した形状に構成した。しかし、ディンプル形成本体１０１における第１の挟み体１０２ａおよび第２の挟み体１０２ｂは、折畳部９３を挟むことができる形状であれば、曲面以外の形状、例えば、平板状の板状体で構成することもできる。すなわち、この場合、括れ部１０８を省略して構成することができる。これによれば、挟み部１０２内に挿入された折畳部９３を均等な圧力で押圧して挟むことができる。また、第１の挟み体１０２ａおよび第２の挟み体１０２ｂは、ネクタイ９０の長手方向に沿って延びる帯状、または棒状で構成することもできるし、第１の挟み体１０２ａと第２の挟み体１０２ｂとの各両端部を繋げて挟み部１０２をリング形状に構成することもできる。
【００４４】
また、上記実施形態においては、ディンプル形成本体１０１の挟み部１０２におけるネクタイ挿入口１０５を外側に広がった形状に形成した。しかし、ディンプル形成本体１０１の挟み部１０２におけるネクタイ挿入口１０５は、必ずしも広がった形状に形成する必要はなく、例えば、互いに直線状に平行に延びる形状であってもよいし、互いに内側に狭まった形状に形成することもできる。これらによれば、ネクタイ９０における折畳部９３をより強固に挟み部１０２によって挟むことができ、折畳部９３のずれ落ちを防止することができる。また、ネクタイ収容部１０７を構成する第１の挟み部１０２ａおよび第２の挟み部１０２ｂの内周面にエンボス（凸凹）加工や摩擦材を貼り付けることによっても折畳部９３のずれ落ちを防止することができる。
【００４５】
また、上記実施形態においては、ディンプル形成本体１０１は、挟み部１０２と狭力付与部１０６とを同一素材により一体的に成形して構成した。しかし、ディンプル形成本体１０１における挟み部１０２および狭力付与部１０６は、必ずしも同一素材により一体的に成形する必要はない。例えば、図７に示すように、ディンプル形成本体２０１は、樹脂製の第１の挟み体２０２ａと第２の挟み体２０２ｂとを支持ピン２０３を介して回動自在に連結するとともに、これらの第１の挟み体２０２ａと第２の挟み体２０２ｂとの間に鋼製のコイルスプリングからなる狭力付与部２０４を配置して所謂目玉クリップ状に構成することもできる。
【００４６】
このように構成されたディンプル形成本体２０１からなるネクタイ様ディンプル形成具２００によれば、使用者は、第１の挟み体２０２ａおよび第２の挟み体２０２ｂにおける目玉状の各把持部２０５を強く握って第１の挟み体２０２ａおよび第２の挟み体２０２ｂにおける各先端部２０６を開くことにより、同先端部２０６間にネクタイ９０の折畳部９３を配置して挟むことができる。すなわち、本発明に係る狭力付与部は、折畳部９３を挟んだとき、第１の挟み体および第２の挟み体のうちの少なくとも一方に対して他方に向う力を付与することができる構成であれば、本変形例のように常に力を付与する構成であっても、上記実施形態のように弾性変形時にのみ力を付与する構成であってもよい。また、この変形例に係るネクタイ様ディンプル形成具２００においては、本体スタンド１１０は不要である。
【００４７】
また、上記実施形態においては、ディンプル形成本体１０１におけるネクタイ収容部１０７は、ネクタイ９０に形成した折畳部９３におけるネクタイ９０の中央部を２つ折りにした部分（図において破線円で示す）を括れ部１０８によって挟むことができる深さに形成した。しかし、ディンプル形成本体１０１におけるネクタイ収容部１０７の深さは、ディンプル形成領域９１に折り癖９２を形成できる深さであれば、必ずしも、上記実施形態に限定されるものではない。例えば、図８（Ａ），（Ｂ）に示すように、ネクタイ収納部１０７は、折畳部９３を完全に収納可能な深さに形成されていてもよいし、折畳部９３の上端部が括れ部１０８の上方にはみ出す深さに形成されていてもよい。
【００４８】
また、上記実施形態においては、ネクタイ用ディンプル形成具１００は、樹脂材で構成されている。しかし、ネクタイ用ディンプル形成具１００は、ディンプル形成本体１０１および狭力付与部１０６をそれぞれ樹脂材以外の材料、例えば、木材、ゴム材または鋼板材などで構成することができる。この場合、ネクタイ用ディンプル形成具１００は、ディンプル形成本体１０１と狭力付与部１０６とが同一材料で構成されていても良いし（一体成形に限らない）、互いに異なる材料で構成されていても良い。また、第１の挟み体１０２ａと第２の挟み体１０２ｂとが、互いに異なる材料で構成されていても良い。
【符号の説明】
【００４９】
９０…ネクタイ、９１…ディンプル形成領域、９２…折り癖、９３…折畳部
１００…ネクタイ用ディンプル形成具、１０１…ディンプル形成本体、１０２…挟み部、１０２ａ…第１の挟み体、１０２ｂ…第２の挟み体、１０３，１０４…曲面部、１０５…ネクタイ挿入口、１０６…狭力付与部、１０７…ネクタイ収容部、１０８…括れ部、
１１０…本体スタンド、１１１…台部、１１２…支持部、
２００…ネクタイ用ディンプル形成具、２０１…ディンプル形成本体、２０２ａ…第１の挟み体、２０２ｂ…第２の挟み体、２０３…支持ピン、２０４…コイルスプリング、２０５…把持部、２０６…先端部。
【図１】
2012158856.tif 000003
【図２】
2012158856.tif 000004
【図３】
2012158856.tif 000005
【図４】
2012158856.tif 000006
【図５】
2012158856.tif 000007
【図６】
2012158856.tif 000008
【図７】
2012158856.tif 000009
【図８】
2012158856.tif 000010